(57)【要約】      （修正有）【課題】回転可能なワイヤフックを持つハンガに固定的に係合することができる表示部材を提供する。【解決手段】下部ネックサイザ１００は、ハンガの本体フランジに隣接する円筒状突出部および支持フランジをほぼ取り囲むような寸法に形成されたサイザ本体１００と、前記サイザ本体に固定され、前記下部ネック部で前記所定のハンガに係合して前記下部ネックサイザの取り外しを阻止するように構成された内側に延びるタブ１２０，１２２とを有する。前記内側に延びるタブは、前記円筒状突出部を収容するための隆起部１２０ａ、１２２ａと、前記支持フランジと前記円筒状突出部との交差位置に向いたフィンガ１２０ｂ、１２０ｃ、１２２ｂ、１２２ｃとを有してもよい。【選択図】図３
2006255420.tif 000002
【特許請求の範囲】
【請求項１】
ハンガ用の下部ネックサイザであって、
所定のハンガの下部ネック部の周囲をほぼ取り囲むような寸法に形成されたサイザ本体と、
前記サイザ本体に固定され、前記下部ネック部で前記所定のハンガに係合するとともに前記下部ネックサイザの取り外しを阻止するように構成された内側に延びるタブと、
を備えることを特徴とする下部ネックサイザ。
【請求項２】
前記内側に延びるタブは、前記下部ネックサイザが前記下部ネック部に係合されたときに、前記ハンガの円筒状突出部を収容するような大きさに形成された隆起部と、前記ハンガの支持フランジと前記円筒状突出部との交差位置に向いたフィンガとを有することを特徴とする請求項１に記載の下部ネックサイザ。
【請求項３】
前記内側に延びるタブは、前記ハンガの本体フランジに係合するように配置された上面を有することを特徴とする請求項１に記載の下部ネックサイザ。
【請求項４】
下方伸長部をさらに有し、前記内側に延びるタブは前記下方伸長部によって支持されていることを特徴とする請求項３に記載の下部ネックサイザ。
【請求項５】
前記内側に延びるタブは、前記下方伸長部の少なくとも１つの内面、または前記下方伸長部の下部端部に配置されていることを特徴とする請求項４に記載の下部ネックサイザ。
【請求項６】
前記内側に延びるタブは、前記下部ネックサイザの上面に配置されて前記ハンガのワイヤフックに係合するような寸法に形成された複数の略放射状の突出部を有することを特徴とする請求項１に記載の下部ネックサイザ。
【請求項７】
前記複数の略放射状の突出部は、それぞれ、凸状、凹状、面取り状または傾斜した内側端部を有することを特徴とする請求項６に記載の下部ネックサイザ。
【請求項８】
前記サイザ本体の高さ方向に延びる不連続部を有することを特徴とする請求項１に記載の下部ネックサイザ。
【請求項９】
射出成形プラスチックからなることを特徴とする請求項１に記載の下部ネックサイザ。
【請求項１０】
前記射出成形プラスチックは、ポリプロピレンおよびＫＲＥＳＩＮの少なくとも１つを含むことを特徴とする請求項９に記載の下部ネックサイザ。
【請求項１１】
前記ハンガに吊られる物品に対応する所定の指標を表示することを特徴とする請求項１に記載の下部ネックサイザ。
【請求項１２】
前記指標は、前記下部ネックサイザの色、大きさ、形状、付される印、または、内部に成形される印の少なくとも１つを含むことを特徴とする請求項１１に記載の下部ネックサイザ。
【請求項１３】
前記内側に延びるタブは、前記サイザの側壁の下端部近傍に配置されていることを特徴とする請求項１に記載の下部ネックサイザ。
【請求項１４】
回転可能なワイヤフックを有するハンガと下部ネックサイザとの組み合わせであって、
前記ハンガは、周囲を取り囲む本体フランジを有する本体と、前記本体から前記フランジを越えて延びる円筒状突出部と、前記円筒状突出部と前記本体フランジとの間に延びる一対の支持フランジと、前記円筒状突出部内に回転可能に受け入れられるワイヤフックとを備え、
前記下部ネックサイザは、前記本体フランジに隣接する前記円筒状突出部および前記支持フランジをほぼ取り囲むような寸法に形成された本体と、前記サイザ本体に固定され、下部ネック部で前記ハンガに係合して前記下部ネックサイザの取り外しを阻止するように構成された内側に延びるタブとを備えることを特徴とする組み合わせ。
【請求項１５】
前記内側に延びるタブは、前記下部ネックサイザが前記下部ネック部に係合されたときに、前記円筒状突出部を収容するような大きさに形成された隆起部と、前記支持フランジの１つと前記円筒状突出部との交差位置に向いたフィンガとを有することを特徴とする請求項１４に記載の組み合わせ。
【請求項１６】
前記内側に延びるタブは、前記ハンガの本体フランジに係合するように配置された上面を有することを特徴とする請求項１４に記載の組み合わせ。
【請求項１７】
下方伸長部をさらに有し、前記内側に延びるタブは前記下方伸長部によって支持されていることを特徴とする請求項１６に記載の組み合わせ。
【請求項１８】
前記内側に延びるタブは、前記下方伸長部の少なくとも１つの内面、または前記下方伸長部の下部端部に配置されていることを特徴とする請求項１７に記載の組み合わせ。
【請求項１９】
前記内側に延びるタブは、前記下部ネックサイザの上面に配置されて前記ワイヤフックに係合するような寸法に形成された複数の略放射状の突出部を有することを特徴とする請求項１４に記載の組み合わせ。
【請求項２０】
前記複数の略放射状の突出部は、それぞれ、凸状、凹状、面取り状または傾斜した内側端部を有することを特徴とする請求項１９に記載の組み合わせ。
【請求項２１】
前記サイザ本体の高さ方向に延びる不連続部を有することを特徴とする請求項１４に記載の組み合わせ。
【請求項２２】
射出成形プラスチックからなることを特徴とする請求項１４に記載の組み合わせ。
【請求項２３】
前記射出成形プラスチックは、ポリプロピレンおよびＫＲＥＳＩＮの少なくとも１つを含むことを特徴とする請求項２２に記載の組み合わせ。
【請求項２４】
前記ハンガに吊られる物品に対応する所定の指標を表示することを特徴とする請求項１４に記載の組み合わせ。
【請求項２５】
前記指標は、前記下部ネックサイザの色、大きさ、形状、付される印、または、内部に成形される印の少なくとも１つを含むことを特徴とする請求項２４に記載の組み合わせ。
【請求項２６】
前記内側に延びるタブは、前記サイザの側壁の下端部近傍に配置されていることを特徴とする請求項１４に記載の組み合わせ。
【発明の詳細な説明】
【技術分野】
【０００１】
本発明は、概して衣服ハンガの分野に関し、詳細には金属製ワイヤフックを有するハンガに使用される下部ネック表示部材(lower neck indicator)に関する。
【背景技術】
【０００２】
衣服の小売販売の分野では、いわゆるガーメント・オン・ハンガ（ＧＯＨ）プログラムが小売業者に好まれるようになってきている。ＧＯＨプログラムでは、衣服が既にハンガに吊られた状態で小売商に運ばれ、到着すると直ちに衣服は売り場に販売用展示として陳列される。以前は、小売業者が自身の出費による作業でこの仕事を行っていた。
【０００３】
特に、小売業者は、売り場で視覚的にきれいな均一性を達成するために、特別なハンガまたはハンガの特徴を用いている。そのために、ハンガーサイズ、形状、機能などについての標準は、例えば任意の業者間商業標準協会（ＶＩＣＳ）のような組織によって維持されている。或る１つの標準化されているハンガの特徴は、幾つかのハンガーモデルにおいて極めて評判がよく、それはプラスチックハンガに付けられた回転可能なワイヤフックである。
【０００４】
また、ＧＨＯプログラムの推進に関連して、小売業者および消費者は、ハンガに掛けられている商品に関する幾つかの指標(indicia)をハンガが表示することを望んでいる。指標の種類は、製造者、材質および価格を含むが、衣服にとって最も重要なのがそのサイズの表示である。これを達成するために、一般に瞬時の取り付けが可能になっているマーシャル等の米国特許第５，８８４，４２２号やゴールドソンの米国特許第６，０１９，２６０号に開示されるものを含む種々の手段が開発されている。これらのうち評判がよいのは後者の特許に開示されるタイプであり、すなわち、フックの一端がハンガ本体に挿入されている部分の近傍でハンガに取り付けられる、サイドサイザタブまたは単にサイドサイザとか、下部ネックのサイザまたは表示部材と呼ばれるものである。
【特許文献１】米国特許第５，８８４，４２２号公報
【特許文献２】米国特許第６，０１９，２６０号公報
【発明の開示】
【発明が解決しようとする課題】
【０００５】
しかしながら、当該分野でこれまで知られているこのようなサイドサイザは、特定の表示部材が付けられるようにハンガは特殊に製造されることが必要であった。種々の他の表示部材は、例えばハンガのワイヤフックの周囲に取り付けられることができ、一般にワイヤフックの長さ方向にスライド可能であり、ハンガ本体の近傍のフックの基部に載っているのが普通である。しかし、前記表示部材は、ハンガに固定的に係合することができず、所望の外観を提供することができない。
【課題を解決するための手段】
【０００６】
したがって、従来技術における前記および他の欠点を解決するために、本発明は、衣服ハンガ用の下部ネックサイザ(lower neck sizer)と、回転可能なワイヤフックを有するハンガと下部ネックサイザとの組み合わせを提供する。回転可能なワイヤフックを有するハンガは、周囲を取り囲む本体フランジを有する本体と、前記本体から前記本体フランジを越えて延びる円筒状突出部と、前記円筒状突出部と前記本体フランジとの間に延びる一対の支持フランジと、前記円筒状突出部に収容されて回転可能なワイヤフックとを含む。前記下部ネックサイザは、前記本体フランジに隣接する前記円筒状突出部および前記支持フランジをほぼ取り囲むような大きさに形成されたサイザ本体と、前記サイザ本体に固定される内側に延びるタブとを有し、前記内側に延びるタブは下部ネック部に係合して前記下部ネックサイザの取り外しを阻止するようになっている。
【０００７】
より具体的な実施形態では、前記内側に延びるタブは、前記下部ネックサイザが下部ネック部に係合されたときに、前記円筒状突出部を収容するような大きさに形成された隆起部(relief)と、前記支持フランジの一方と前記円筒状突出部との交差位置に向いたフィンガとを有する。あるいは、前記内側に延びるタブは、前記本体フランジに係合するように位置する上面を有する。前記下部ネックサイザは、前記内側に延びるタブを支持する下方伸長部を有してもよい。
【０００８】
別の実施形態では、前記内側に延びるタブは、前記下部ネックサイザの上面に配置されるとともに前記ワイヤフックに係合するような大きさに形成された複数の略放射状突出部を有する。前記各略放射状突出部は、必須ではないが、凸状、凹状、面取り状または傾斜した内側端部を有する。前記下部ネックサイザは、ハンガへの取り付けを容易にするために、前記本体の高さ方向に延びる不連続部を有することができる。
【発明を実施するための最良の形態】
【０００９】
本発明の特徴、態様および利点は、下記の説明と、複数図面において同一部分に同一符号を付してある添付図面とを参照することによって、さらに明らかになるであろう。
【００１０】
図１を参照すると、当該分野において広く知られている回転可能なワイヤフックを有するハンガ１０が示されている。ハンガは、本体２０と、下部ネック２１と呼ばれるハンガの部分で前記本体２０に回転可能に付けられているワイヤフック３０とを有する。本体２０は、ほぼ平面状をなし、周囲を取り囲んで本体２０を画定している本体フランジ２２を有する。本体フランジ２２は、本体２０を越えて連続して、左右アーム２４，２６をそれぞれ取り囲んで画定している。ワイヤフック２０と本体フランジ２２との交差位置には、円筒状突出部２８が本体２０および本体フランジ２２を越えて延伸して、ワイヤフック３０を受け入れて捕捉している。突出部２８は、第１および第２の支持フランジ３２，３４によってそれぞれ支持されている。第１および第２の支持フランジ３２，３４、突出部２８および本体フランジ２２の間には、空間を満たして一体化されている第１および第２の支持ウェブ３６，３８が設けられている。
【００１１】
図２を参照すると、本発明の第１実施形態である下部ネックの表示部材またはサイザ１００が斜視図で示される。表示部材は、これが取り付けられるハンガに吊られる衣服のサイズを表示するために、一般的ではあるが排他的なものとしてではなく使用される。この明細書において、用語「サイザ」は、サイズまたは他の特徴を示すものであるか否かに拘わらず、「表示部材」と置き換えて使用することができる。下部ネックサイザ１００は、ほぼ台形状の前壁１０２とほぼ台形状の後壁１０４とを有する。側壁１０６，１０８は、前壁１０２と後壁１０４とを接続する。下部ネックサイザは、少なくとも一部が開放した上面１１０と、少なくとも一部が開放した下面１１２とを有する。前記両面１１０，１１２はフック３０を受け入れることが可能であり、少なくとも下面１１２は下部ネックサイザ１００の取り付けおよび使用のために下部ネック２１を受け入れるようになっている。
【００１２】
図３を参照すると、図２の下部ネックサイザ１００の上面図が示される。（図３では不図示の）開放した上面１１０を介して、第１および第２の係合タブ１２０，１２２をそれぞれ見ることができる。一般に、本実施形態および他の実施形態における係合タブは、下部ネック部でハンガに係合するように機能する。各係合タブ１２０，１２２は、隆起部１２０ａ，１２２ａと、フィンガ１２０ｂ，１２０ｃおよび１２２ｂ，１２２ｃとをそれぞれ有する。図４は、タブ１２０，１２２の位置を示す、図３の４−４線断面を示す。
【００１３】
使用の際、下部ネックサイザ１００は、下面１１２および上面１１０を貫通してワイヤフック３０に通される。そして、下部ネックサイザ１００は、下部ネック部２１に持ってこられる。下部ネックサイザ１００が下部ネック部２１に係合するように押し付けられると、タブ１２０，１２２が外側に撓んで突出部２８と第１および第２の支持フランジ３２，３４とを受け入れる。タブ１２０，１２２が第１および第２の支持フランジ３２，３４を越えて押し込まれると、タブ１２０，１２２は元の位置に復帰する。対をなすフィンガ１２０ｂ，１２２ｂおよび１２０ｃ，１２２ｃが、突出部２８と第１の支持フランジ３２との交差位置、および、突出部２８と第２の支持フランジ３４との交差位置にそれぞれ隣接して位置した状態で、隆起部１２０ａ，１２２ａが突出部２８を受け入れるように協働する。
【００１４】
第１実施形態の下部ネックサイザ１００は、本体フランジ２２に対してほぼ同じ高さか少し上で下部ネック部２１に係合する。選択肢として、前壁１０２および後壁１０４の一方または両方は、少なくとも下記実施形態と同様に視覚的外観を達成するか、または各実施形態の追加の特徴を組み合わせるように、本体フランジ２２を越えて延びていてもよい。
【００１５】
図５を参照すると、本発明の第２実施形態の下部ネックサイザ２００が斜視図で示される。前記第１実施形態と共通する特徴の説明は省略する。第１実施形態と対照して、下部ネックサイザ２００の上面２１０は、一部だけが開放して、円形開口部２１１を有している。この開口部は、審美的理由から設けられてもよいし、または、下部ネックサイザ２００の下方移動を規制するために突出部２８が上面２１０を貫通するのを防止する大きさに形成されてもよい。
【００１６】
側壁２０８は、下部ネック部２１上に配置されたときに、ハンガ１０の本体フランジ２２の上にその下部エッジが位置するような大きさに形成されている。第２実施形態では、前壁２０２とほぼ台形状の後壁２０４の一方または両方は、下部ネック部２１上に配置されたときに、ハンガ１０の本体フランジ２２を越えて延びるような寸法に形成された伸長部２０２ａ，２０４ａをそれぞれ有することができる。第２実施形態において、伸長部２０２ａ，２０４ａの一方または両方は、内側に向いたタブ２４２，２４４をそれぞれ有することができる。伸長部２０２ａ，２０４ａに拘わらず、前壁２０２および後壁２０４は、ほぼ台形状をなすと考えることができる。
【００１７】
図６を参照すると、図５に示す第２実施形態の下部ネックサイザ２００の側面図が示される。タブ２４２，２４４は、上面２４２ａ，２４４ａと、下面２４２ｂ，２４４ｂとをそれぞれ有し、前記下面２４２ｂ，２４４ｂは横方向基準線２５０に対して傾斜していてもよい。図示される例示の実施形態では、タブ２４２，２４４は、基準線２５０に対してほぼ平行な上面２４２ａ，２４４ａを有し、これにより下部ネックサイザ２００が取り外されるときに付加的な抵抗が与えられる。下面２４２ｂ，２４４ｂは基準線２５０に対して大きく傾斜しており、これにより本体フランジ２２との係合時の抵抗が小さくなって係合が容易になる。逆に、上面２４２ａ，２４４ａが下方に傾斜している場合には、下部ネックサイザが取り外されるときの抵抗が軽減されることになる。この下方傾斜は、伸長部２０２ａ，２０４ａに対する取付位置より下にタブ２４２，２４４の先端があるものとして考えられる。同様に、下面２４２ｂ，２４４ｂの上方傾斜の減少または削除は、本体フランジ２２との係合の際の抵抗を増大させることになる。
【００１８】
タブ２４２，２４４は、伸長部２０２ａ，２０４ａの内面にそれぞれ設けられてもよいし、または、伸長部２０２ａ，２０４ａの端部にそれぞれ設けられてもよい。換言すれば、伸長部２０２ａ，２０４ａは、タブ２４２，２４４が本体フランジ２２と係合するように配置されるのに必要最小限以上に延びていればよい。タブ２４２，２４４は、長さ、大きさ、形状または対向する伸長部上のタブの存在に拘わらず、同一の広がりをもっていてもよいし、あるいは、長さ方向のどこかで途切れて不連続になっていてもよい。また、２つの伸長部２０２ａ，２０４ａが設けられる必要は必ずしもなく、代わりに、伸長部２０２ａ，２０４ａ無しで前壁２０２および後壁２０４にタブを設けてもよい。このような実施形態が図６Ａ，６Ｂを参照して説明される。
【００１９】
図６Ａは、下部ネックサイザ５００の斜視図である。図６Ｂは、図６Ａの６Ｂ−６Ｂ線断面図である。前記各実施形態と共通するか、または容易に理解できる明白なものである本実施形態の特徴の詳細な説明は省略する。本実施形態のサイザ５００では、フィンガ５７０が端部壁５１４から水平に延びて、ワイヤフック３０または突出部２８と係合するような寸法に形成されることができる。
【００２０】
図６Ｂに示すように、タブ５４２，５４４は、前壁５０２および後壁５０４の内面の下端部近傍からそれぞれ延びている。また、ハンガ１０の本体フランジ２２に係合するのではなくて、タブ５４２，５４４を受け入れて保持するための凹部が突出部２８に設けられてもよい。凹部５８０は、タブ５４２，５４４の上部対向水平面から延びており、射出成形プラスチック材料で表示部材５００を製造する工程で使用される型の部分によって一般に形成される。
【００２１】
例えば、図７は、本発明の第３実施形態を斜視図で示す。第１実施形態と共通する特徴の説明は省略する。タブ３４３４は、幅および高さの両方が伸長部３０４ａよりも短くなっているのが分かる。また、図７に示すように、後壁３０４には凹部３４６がある。本発明のどの実施形態においても前壁または後壁に同様の凹部があってもよいが、必須ではない。例えば、前壁１０４の凹部は、図２の上面１１０を介して見ることができる。それは、下部ネックサイザが射出成型プラスチックから形成されるときに、各半型(mold halves)の交差部によって形成され、前記半型の１つは成形時に下部ネックサイザの上面を貫通して延びてもよい。
【００２２】
使用の際、下部ネックサイザ２００は、下面２１２および上面２１０の開口部２１１の両方を貫通してワイヤフック３０が通されて、ワイヤフック３０上を通過する。そして、下部ネックサイザ２００は、下部ネック部２１に持ってこられる。下部ネックサイザ２００が下部ネック部２１に係合するように押し付けられると、タブ２４２，２４４が外側に撓んで本体フランジ２２を受け入れる。タブ２４２，２４４が本体フランジ２２を越えて通過すると、タブ２４２，２４４は元の位置に復帰する。タブ２４２，２４４は、側壁２０６，２０８の下端部と協働して、または、時には開口部２１１に共に、下部ネック部２１に係合して下部ネックサイザ２００を保持する。図７の実施形態も同様に機能することが分かるであろう。
【００２３】
図８を参照すると、本発明の第４実施形態の下部ネックサイザ４００が斜視図で示される。前記各実施形態と共通する特徴の説明は省略する。上面４１０は、ほぼ円筒状のバンド４６０を含む。ほぼ円筒状のバンド４６０は、図示される実施形態のように円形をなしてもよいし、長方形、正方形、三角形、五角形等の他の幾何学形状の筒状突出部であってもよい。図示する第４実施形態では、バンド４６０は上面ｋ４１０から上方に延びている。あるいは、バンド４６０は、上面４１０から下方に延びてもよいし、全体が除去されてもよい。上面４１０の上または下のバンドの有無や高さに拘わらず、突出部４７０は、上面４１０の上または下に一部または全体が延びていてもよいし、あるいは、上面４１０と同一平面上にあってもよい。
【００２４】
下部ネックサイザ４００は、略放射状に内側に向いた複数の突出部４７０を有する。各内側端部４７２で突出部４７０はハンガ１０のワイヤフック３０に係合する。突出部４７０の内側端部４７２は、第４実施形態のように凸状をなしていてもよいし、または、凹状や面取り状やいずれかの方向に傾斜した形状をなしていてもよい。少なくとも２つの突出部４７０によって、凹状端部が突出部４７０とワイヤフック３０との間の適合安定性を付与している。突出部の数の増やすことでより安定性が増し、前記凹状端部の必要性を無くすことができる。
【００２５】
選択肢として、下部ネックサイザ４００は、ワイヤフック３０の受け入れによってハンガへの取り付けを簡単にするために、タブ本体４０１の高さ方向に延伸する不連続部４８０を有してもよい。不連続部４８０は、下部ネックサイザ４００がワイヤフック３０の受け入れを可能にするだけの幅があればよく、実際には下部ネックサイザ４００用に選択される材料がワイヤフック３０を受け入れる際に弾性変形可能であればワイヤフック３０よりも狭くてもよい。不連続部４８０のエッジ部は、ワイヤフック３０の挿入を容易にするために、丸み付けや面取りがされていてもよい。不連続部４８０に拘わらず、下部ネックサイザ４００は、ハンガ１０の下部ネック部２１の周囲をほぼ取り囲んでいる。図９は、図８に示す第４実施形態の下部ネックサイザ４００の上面図である。
【００２６】
下部ネックサイザ４００は、壁４０２，４０４の下に延びる伸長部４０２ａ，４０４ａをそれぞれ有する。これは、伸長部４０２ａ，４０４ａから突出するタブが無いことには拘わらない。下部ネックサイザ４００のハンガ１０との係合をより強固なものにするために、突出部４７０および前記タブの両方が設けられてもよい。特定の下部ネックサイザがハンガに係合する方法の如何に拘わらず、ハンガへの下部ネックサイザの取り付けを容易にするために、第４実施形態に含まれるような不連続部４８０が前記各実施形態に組み込まれてもよい。
【００２７】
前記好適な各実施形態では、下部ネックサイザ１００，２００，３００，４００，５００は、プラスチック材料、より具体的には射出成形プラスチックから一体に形成される。プラスチックは、ハンガ１０との係合のための弾性的柔軟性を有するように柔軟であることができる。この柔軟性の基準を満たす材料は、限定的ではないが、様々な種類のポリプロピレン、様々な種類のＫＲＥＳＩＮ(K-resin)などが含まれる。
【００２８】
下部ネックサイザ１００，２００，３００，４００，５００またはその如何なる部分は、ハンガに吊される物品に対応する予め選択された指標を伝えるように構成されることができる。指標の種類は、製造者、材質および価格を含むと共に、衣服では最も重要なサイズを含む。前記指標は、下部ネックサイザに付されるか、および／または、その中に成形される数字、文字または印などの形態を有することができる。あるいは、下部ネックサイザ自体の色、大きさ、形状または単なる存在が前記指標であってもよい。
【００２９】
本発明は、特定の例示の実施形態に関して説明されてきた。本発明の精神または範囲から外れることなく、この開示内容から特定の置換および／または改良をなすことは当業者にとって容易なことである。前記各実施形態は、添付の特許請求の範囲によってのみ画定される本発明の範囲に関連した非制限的な単なる例示として与えられたものである。
【図面の簡単な説明】
【００３０】
【図１】当該分野で知られている一般的なワイヤフックハンガの部分的に切り取った正面図。
【図２】本発明の第１実施形態の下部ネックのサイズ表示部材の斜視図。
【図３】図２の下部ネックのサイズ表示部材の上面図。
【図４】図３の４−４線断面図。
【図５】本発明の第２実施形態の下部ネックのサイズ表示部材の斜視図。
【図６】図５の下部ネックのサイズ表示部材の側面図。
【図６Ａ】下部ネックのサイズ表示部材の別の実施形態のｓｙさしず。
【図６Ｂ】図６Ａの６Ｂ−６Ｂ線断面図。
【図７】本発明の第３実施形態の斜視図。
【図８】本発明の第４実施形態の下部ネックのサイズ表示部材の斜視図。
【図９】図８に示す下部ネックのサイズ表示部材の上面図。
【符号の説明】
【００３１】
１０…ハンガ
２０…ハンガ本体
２１…下部ネック部
２２…本体フランジ
２８…円筒状突出部
３０…ワイヤフック
３２，３４…支持フランジ
１００，２００，３００，４００，５００…下部ネックサイザ
１０１…サイザ本体
１０２…前壁
１０４…後壁
１０６，１０８…側壁
１１０…上面
１１２…下面
１２０，１２２…タブ
１２０ａ，１２２ａ…隆起部
１２０ｂ，１２０ｃ，１２２ｂ，１２２ｃ…フィンガ
【図１】
2006255420.tif 000003
【図２】
2006255420.tif 000004
【図３】
2006255420.tif 000005
【図４】
2006255420.tif 000006
【図５】
2006255420.tif 000007
【図６】
2006255420.tif 000008
【図６Ａ】
2006255420.tif 000009
【図６Ｂ】
2006255420.tif 000010
【図７】
2006255420.tif 000011
【図８】
2006255420.tif 000012
【図９】
2006255420.tif 000013
【外国語明細書】
2006255420.tif 000014
2006255420.tif 000015
2006255420.tif 000016
2006255420.tif 000017
2006255420.tif 000018
2006255420.tif 000019
2006255420.tif 000020
2006255420.tif 000021
2006255420.tif 000022
2006255420.tif 000023
2006255420.tif 000024
2006255420.tif 000025
2006255420.tif 000026
2006255420.tif 000027
2006255420.tif 000028
2006255420.tif 000029
2006255420.tif 000030
2006255420.tif 000031
2006255420.tif 000032
2006255420.tif 000033
2006255420.tif 000034
2006255420.tif 000035
2006255420.tif 000036
2006255420.tif 000037
2006255420.tif 000038
2006255420.tif 000039
2006255420.tif 000040
2006255420.tif 000041
2006255420.tif 000042